(57)【要約】      （修正有）【課題】金属線材を変形させて作られたリングの場合に生じていた不具合を解消し、使用感の良好なノートを提供する。【解決手段】綴じ穴６１を有した複数枚の用紙６をリング４により綴じてなるノートＮであって、前記リング４が、前記綴じ穴６１にそれぞれ挿通された複数のリング本体４１と、これらリング本体４１の基端を相互に連結するとともに前記各リング本体４１の先端側を保持して各リング本体４１を閉環状に維持する連結部４２とを具備してなり、前記各リング本体４１の先端側と前記連結部４２とが接合領域において溶着により接合されている。【選択図】図１
2011218701.tif 000002
【特許請求の範囲】
【請求項１】
綴じ穴を有した複数枚の用紙をリングにより綴じてなるノートであって、
前記リングが、前記綴じ穴にそれぞれ挿通された複数のリング本体と、これらリング本体の基端を相互に連結するとともに前記各リング本体の先端側を保持して各リング本体を閉環状に維持する連結部とを具備してなり、前記各リング本体の先端側と前記連結部とが接合領域において溶着により接合されていることを特徴とするノート。
【請求項２】
前記リング本体が、合成樹脂製のものである請求項１記載のノート。
【請求項３】
前記リング本体が、帯状素材を湾曲させてなるものである請求項１または２記載のノート。
【請求項４】
前記リング本体が、前記接合領域以外の部位に、当該リング本体の一部を前記連結部に対して起立させるための屈曲部分を有している請求項１、２また３記載のノート。
【請求項５】
前記屈曲部分が、前記接合領域の近傍に設けられている請求項４記載のノート。
【請求項６】
前記屈曲部分が、複数設けられている請求項４または５記載のノート。
【請求項７】
前記綴じられる用紙の合計厚み寸法をａ（ｍｍ）、前記用紙の綴じ元側の側縁と前記綴じ穴との最短距離をｂ（ｍｍ）とするとき、
前記リング本体が、前記接合領域以外の部位の円周方向の長さを、２π×√｛（０．５ａ）2＋ｂ2｝から２π×√｛（０．５ａ）2＋（ｂ＋３．０ｍｍ）2｝の間に設定されている請求項１、２、３、４、５または６記載のノート。
【請求項８】
前記リング本体が、前記接合領域以外の部位に、円周方向に間隔をあけて平行に形成された複数の折り線を備えている請求項１、２、３、４、５、６または７記載のノート。
【請求項９】
前記用紙である複数枚の中紙と表紙とをリングにより綴じてなるノートであって、
前記連結部を前記中紙と表紙との間に位置させている請求項１、２、３、４、５、６、７または８記載のノート。
【発明の詳細な説明】
【技術分野】
【０００１】
本発明は、リングにより綴じられるノートに関する。
【背景技術】
【０００２】
従来、綴じ穴を有した複数枚の用紙をリングにより綴じてなるノートが種々知られている（例えば、特許文献１を参照）。このようなものは、ノートを開いて使用する際に、隣接するページ間にリングが露出することとなる。そのため、ノートを使用する際、たとえば筆記中等においては、使用者の手が露出したリングに触れることが少なくない。
【０００３】
ところが、従来のリングは、金属線材を折り曲げ加工等して変形させて作られたものが一般的であるので、このようなリングに手が触れると違和感があり、極端な場合には痛いと感じることもあった。
【先行技術文献】
【特許文献】
【０００４】
【特許文献１】特開２００９−２０２３５４号公報
【発明の概要】
【発明が解決しようとする課題】
【０００５】
本発明は、以上のような課題を解消し、使用感の良好なノートを提供することを目的とする。
【課題を解決するための手段】
【０００６】
本発明は、以上のような課題を解決するために、次のような構成を採用したものである。すなわち、本発明に係るノートは、綴じ穴を有した複数枚の用紙をリングにより綴じてなるものであって、前記リングが、前記綴じ穴にそれぞれ挿通された複数のリング本体と、これらリング本体の基端を相互に連結するとともに前記各リング本体の先端側を保持して各リング本体を閉環状に維持する連結部とを具備してなり、前記各リング本体の先端側と前記連結部とが接合領域において溶着により接合されていることを特徴とする。
【０００７】
ここで、「用紙」は、ノートとして製本され得るシート状のものであればよく、紙製のものの他、プラスチック製のものも含まれる。また、用紙の用途としては、筆記用のものや貼り付け用のもの等が考えられる。
【０００８】
また、「環状」とは、必ずしも滑らかな円形状になっている必要はなく、一部にかどばった部分があるものも含む概念である。
【０００９】
「溶着」は、二クロム線等を用いた熱溶着の他、超音波による溶着や高周波による溶着等も考えられる。
【００１０】
このようなものであれば、金属線材を折り曲げて作られたリングに比べて、リングに手が触れたときの違和感が軽減されるため、使用者がこのようなノートを使用する際に使用感が良好になる。
【００１１】
前記リング本体の素材としては、種々のものを用いることができるが、特に、合成樹脂製のものが好ましい。
【００１２】
前記使用者の違和感を少なくするためには、リング本体が、帯状素材を湾曲させてなるものが好ましい。
【００１３】
リング本体の好適な態様としては、前記接合領域以外の部位に、当該リング本体の一部を前記連結部に対して起立させるための屈曲部分を有しているものが挙げられる。
【００１４】
特に、前記屈曲部分は、前記接合領域の近傍に設けられているものが好ましい。
【００１５】
前記屈曲部分は、一つであってもよいが、複数であってもよい。この場合には、複数の屈曲部分が協働して前記リング本体の一部を前記連結部に対して安定的に起立させることができる。
【００１６】
また、前記綴じられる用紙の合計厚み寸法をａ（ｍｍ）、前記用紙の綴じ元側の側縁と前記綴じ穴との最短距離をｂ（ｍｍ）とするとき、前記リング本体は、前記接合領域以外の部位の円周方向の長さを、２π×√｛（０．５ａ）2＋ｂ2｝から２π×√｛（０．５ａ）2＋（ｂ＋３．０ｍｍ）2｝の間に設定されているものが好ましい。
【００１７】
リング本体の好適な態様としては、前記接合領域以外の部位に、円周方向に間隔をあけて平行に形成された複数の折り線を備えているものが挙げられる。
【００１８】
前記用紙である複数枚の中紙と表紙とをリングにより綴じてなるノートの具体的態様としては、前記連結部を前記中紙と表紙との間に位置させているものが好ましい。
【発明の効果】
【００１９】
本発明は、以上のような構成であるから、金属線材を変形させて作られたリングの場合に生じていた不具合を解消し、使用感の良好なノートを提供することができる。
【図面の簡単な説明】
【００２０】
【図１】本発明の一実施形態を示すノートの全体図。
【図２】同実施形態の要部を拡大して示す拡大斜視図。
【図３】同実施形態の底面側を拡大して示す拡大底面図。
【図４】同実施形態のリングを形成するリング形成部材を示す説明図。
【図５】同実施形態の用紙とリングとの関係を模式的に示す説明図。
【図６】本発明の第二実施形態にかかるノートの要部を拡大して示す拡大斜視図。
【図７】同実施形態の要部を拡大して示す拡大斜視図。
【図８】本発明の第三実施形態にかかるノートの要部を拡大して示す拡大斜視図。
【図９】同実施形態のリングを形成するリング形成部材を示す説明図。
【図１０】本発明の第四実施形態にかかるノートの要部を拡大して示す拡大斜視図。
【発明を実施するための形態】
【００２１】
以下、本発明の一実施形態について図面を参照しながら説明する。
【００２２】
このノートＮは、図１ないし図５に示すように、綴じ穴６１を有した複数枚の用紙６である表紙１、２及び中紙３をリング４により綴じてなるものである。具体的には、このノートＮは、合成樹脂製のシートや厚紙等により作られた表表紙１及び裏表紙２と、これら表表紙１及び裏表紙２の間に配される筆記用の複数枚の中紙３と、これら表表紙１、裏表紙２、及び中紙３のつづり元に形成された複数の綴じ穴６１と、該綴じ穴６１を用いてこれら表表紙１、裏表紙２、及び中紙３を綴じるリング４とから構成される。綴じ穴６１は矩形状をなす通常のものであり、所定のピッチで複数設けられている。ここで、図１は、最後の中紙３を開いた状態を示しており、図２は、図１の要部を拡大して示す図である。図３は、図２の要部を拡大して示す底面図である。
【００２３】
リング４は、図１ないし図３に示すように、前記綴じ穴６１にそれぞれ挿通された複数のリング本体４１と、これらリング本体４１の基端を相互に連結するとともに前記各リング本体４１の先端側を保持して各リング本体４１を閉環状に維持する連結部４２とを具備してなるポリプロピレン等の合成樹脂製のものであり、前記各リング本体４１の先端側と前記連結部４２とが接合領域４０において溶着により接合されているものである。前記リング本体４１は、例えば、厚みが０．２ｍｍ程度の軟質素材で作られている。前記軟質素材とは、環状部４３に使用者の手が触れた際に一時的な弾性変形が生じるが、その外力が解除されると元の閉環状をなす湾曲形状に自己復帰し得る素材で構成されている。
【００２４】
詳述すれば、リング本体４１は、図１ないし図３に示すように、前記接合領域４０以外の部位に、当該リング本体４１の一部を前記連結部４２に対して起立させるための屈曲部分４４、４５を有している。このリング本体４１の前記接合領域４０以外の部位には、第１の屈曲部分４４から円周方向に間隔をあけて第２の屈曲部分４５を有している。すなわち、このリング本体４１は、基端を前記連結部４２に一体に連接してなる環状部４３と、この環状部４３の先端に連続させて設けられ前記連結部４２に密着して重なり合う先端部４７とを具備してなる。このリング４は、前記環状部４３と前記先端部４７との境界に第１の屈曲部分４４が形成されているとともに、この第１の屈曲部分４４から一定距離をおいた部位に第２の屈曲部分４５が形成されている。この一定距離は、ノートＮの厚み寸法に対応して決められる。そして、この屈曲部分４４は、前記接合領域４０の近傍に設けられている。
【００２５】
また、リング本体４１は、図５に示すような考え方に基づいて設計されたものであり、前記接合領域４０以外の部位の円周方向の長さが、例えば２６ｍｍに設定されている。すなわち、図５に示すように、綴じられる全ての用紙６、すなわち表表紙１、裏表紙２及び中紙３の合計厚み寸法をａｍｍ、前記用紙６の綴じ元側の側縁６２と前記綴じ穴６１の綴じ元側側縁６３との最短距離をｂｍｍとする。そのとき、このリング本体４１は、前記接合領域４０以外の部位の円周方向の長さを、２π×√｛（０．５ａ）2＋ｂ2｝から２π×√｛（０．５ａ）2＋（ｂ＋３．０ｍｍ）2｝の間に設定されている。前記接合領域４０以外の部位の円周方向の長さとは、換言すれば、溶着しろを残した後述する横帯状部５１の長さ寸法であり、ノートＮのリング本体４１の環状になっている部分の円周の長さ、すなわち前記環状部４３の長さである。本実施形態のノートＮは、例えば、表表紙１、裏表紙２及び中紙３の合計厚み寸法を５ｍｍ、前記用紙６の綴じ元側の側縁６２と前記綴じ穴６１の縁部との最短距離を２．３ｍｍとしているので、上記の式にａ＝５、ｂ＝２．３を代入して、前記リング本体４１は、前記接合領域４０以外の部位の円周方向の長さを、２１ｍｍないし３７ｍｍになるように設定している。なお、表表紙１、裏表紙２及び中紙３の合計厚み寸法が５ｍｍであって、前記用紙６の綴じ元側の側縁６２と前記綴じ穴６１の縁部との最短距離が２．３ｍｍのときのリング本体４１は、前記接合領域４０以外の部位の円周方向の長さを、２５ｍｍないし２８ｍｍにしているのが好ましい。
【００２６】
一方、連結部４２は平板状をなすもので、図１ないし図３に示すように、この連結部４２を前記中紙３と裏表紙２との間に位置させるようにして、前記リング４が中紙３及び表紙１、２を綴じている。
【００２７】
このリング４は、図４に示すようなリング形成部材５により形成されるものである。このリング形成部材５は、合成樹脂製のシート素材を打ち抜き加工を施すことにより作られるものであり、前記リング本体４１に対応する複数の横帯状部５１と、前記連結部４２に対応する縦帯状部５２とを備えている。すなわち、複数の横帯状部５１と縦帯状部５２とは、一体に形成されている。
【００２８】
このリング形成部材５を、一定枚数の中紙３及び表紙１、２を揃えた状態で綴じ穴６１に横帯状部５１をそれぞれ貫通させ、その貫通端部を図示しない治具により保持しつつ縦帯状部５２側に巻き上げる。その後、それら各横帯状部５１の貫通端部を前記縦帯状部５２にそれぞれ溶着により接合することによって、図１ないし図３に示すようなリング４が作られている。
【００２９】
以上に述べたように、本実施形態に係るノートＮは、矩形状の複数の綴じ穴６１を有した複数枚の用紙６である表表紙１、裏表紙２及び中紙３をリング４により綴じてなるものであって、前記リング４が、前記綴じ穴６１にそれぞれ挿通された複数のリング本体４１と、これらリング本体４１の基端を相互に連結するとともに前記各リング本体４１の先端側を保持して各リング本体４１を閉環状に維持する連結部４２とを具備してなる合成樹脂製のものであり、前記各リング本体４１の先端側と前記連結部４２とが接合領域４０において溶着により接合されているので、金属線材を変形させて作る従来のリングの場合に生じていた不具合を解消し、使用感の良好なノートＮを提供できる。
【００３０】
詳述すれば、使用者が前記ノートＮを筆記等の目的で使用する際に、隣接する中紙３間にリング４が露出することになるが、このリング４は、合成樹脂製のものであるため、従来の金属製のリングと比べて比較的軟質であり、使用者の手に食い込むという不快感が抑制されるものである。特に、本実施形態では、リング本体４１の環状部４３に使用者の手が触れた際に一時的な弾性変形を伴うような素材を使用しているため、使用感が良好なものとなる。さらに、前記環状部４３が帯状のものであるので、従来の線状のものと比べて、使用者の手が当たったときの違和感が軽減される。
【００３１】
また、複数のリング本体４１は、複数設けられた綴じ穴６１にそれぞれ対応して挿通されたものであり、本実施形態では、矩形状の綴じ穴６１の縦方向の辺の寸法を前記リング形成部材５の横帯状部５１の巾寸法にほぼ一致させているため、前記横帯状部５１に対応したリング４の環状部４３がノートＮの長手方向側にずれたり変形したりすることも抑制できる。
【００３２】
連結部４２は、平板状をなすものであるためノートＮの厚みを比較的抑えることができる。この連結部４２は、裏表紙２とこの裏表紙２に隣接する中紙３の間に位置させているので、ノートＮを閉じた際には、表表紙１側及び裏表紙２側のいずれからも連結部４２が隠蔽されることになる。また、ノートＮを裏表紙２以外の部分で開いた際にも、前記連結部４２は使用者から見えないものとなる。したがって、ノートＮを通常使用する際には、リング４のうち環状部４３のみが外側に露出することになるため、従来の金属線材のリングの場合と同じような外観を得ることができる。
【００３３】
また、リング本体４１が連結部４２に溶着で接合される際、合成樹脂製のリング本体４１の先端部４７が塑性変形するため、リング本体４１と連結部４２とを密着させることができる。
【００３４】
さらに、このリング４は、前記環状部４３と前記先端部４７との境界に第１の屈曲部分４４が形成されているとともに、この第１の屈曲部分４４から一定距離をおいた部位に第２の屈曲部分４５が形成されているので、図３に示すように、この屈曲部分４４、４５付近において複数枚重なった用紙６の綴じ穴６１が整然と揃い、重なった用紙６の横方向へのずれを抑制することができる。
【００３５】
詳述すれば、このリング本体４１の環状部４３は、二箇所の屈曲部分４４、４５を有しているので、これら屈曲部分４４、４５間に形成される直線部４８と、この直線部４８の反対側に形成される湾曲部４９とを備えることとなり、全体として底面視ほぼＤ字形状をなしている。ここで、表紙１、２及び中紙３の合計厚み寸法は、前記直線部４８の長さ寸法とほぼ同じ、または若干小さく設定してあるので、図３に示すように、前記表紙１、２及び中紙３の綴じ穴６１内にリング本体４１の直線部４８が入った状態で、前記綴じ穴６１が整然と揃うこととなる。そのため、表紙１、２及び中紙３の横方向へのずれを抑制することができる。
【００３６】
また、リング本体４１が、前記接合領域４０以外の部位の円周方向の長さを、２π×√｛（０．５ａ）2＋ｂ2｝ないし２π×√｛（０．５ａ）2＋（ｂ＋３．０ｍｍ）2｝に設定されているものであるので、リング４が前記用紙６に対応して適切な大きさになる。すなわち、リング本体４１が、前記接合領域４０以外の部位の円周方向の長さを、２π×√｛（０．５ａ）2＋ｂ2｝よりも小さくしている場合には、リング本体４１と綴じ穴６１の綴じ元側側縁６３とが干渉しやすくなるため、重なった表紙１、２及び中紙３の綴じ穴６１が整然と揃わず、それら表紙１、２及び中紙３の横方向へのずれが生じることとなる。換言すれば、表紙１、２及び中紙３の綴じ元側とは反対側の端縁が外側に膨らんだ形状となる。そして、各中紙３のページをめくる際にリング４と綴じ穴６１の縁部とがひっかかりやすくなる。一方、リング本体４１が、前記接合領域４０以外の部位の円周方向の長さを２π×√｛（０．５ａ）2＋（ｂ＋３．０ｍｍ）2｝よりも大きくしている場合には、リング４の環状部４３が不当に余ってしまい、リング４が座屈により環状が崩れやすくなる。そして、各中紙３のページをめくる際にリング４と綴じ穴６１の縁部とがひっかかりやすくなる。しかしながら、本実施形態にかかるリング本体４１は、上述した範囲内の長さに設定されているので、このような不具合が生じることを解消し得る。
【００３７】
なお、本発明は以上に述べた実施形態に限られない。
【００３８】
まず、本発明の第二実施形態にかかるノートを、図６及び図７を参照して説明する。なお、以下の実施形態において上記実施形態に対応する構成要素には同様の符号を付して示すものとし、具体的な説明を省略する。なお、図６は、図２に対応するものであり、最後の中紙３を開いた状態での要部を拡大して示す図である。一方、図７は、ノートＮを裏表紙２側から開いた状態の要部を拡大して示している。
【００３９】
このリングＡ４の環状部Ａ４３は、前記リング本体Ａ４１と前記連結部Ａ４２との境界に相当する部位に第１の屈曲部分Ａ４４が形成されているとともに、この第１の屈曲部分Ａ４４から一定距離をおいた部位に第２の屈曲部分Ａ４５が形成されている。この一定距離は、ノートＮの厚み寸法に対応して決められる。そして、この屈曲部分Ａ４４は、前記接合領域Ａ４０の近傍に設けられている。
【００４０】
このようなものであるため、この屈曲部分Ａ４４、Ａ４５付近において複数枚重なった用紙６の綴じ穴６１が整然と揃い、重なった用紙６の横方向へのずれを抑制することができる。
【００４１】
次に、本発明の第三実施形態にかかるノートを、図８及び図９を参照して説明する。なお、以下の実施形態において上記実施形態に対応する構成要素には同様の符号を付して示すものとし、具体的な説明を省略する。
【００４２】
このリングＢ４は、リング本体Ｂ４１の環状部Ｂ４３と先端部Ｂ４７との境界に屈曲部分Ｂ４４を設けてなるものである。前記屈曲部分Ｂ４４は、前記各リング本体Ｂ４１の先端側と前記連結部Ｂ４２とが溶着により接合される接合領域Ｂ４０の近傍に設けられることとなる。詳述すれば、このリング本体Ｂ４１は、一箇所の屈曲部分Ｂ４４を有しているので、この屈曲部分Ｂ４４が角張った形状を有することとなり、全体として底面視ほぼ涙形状をなす。前記表紙１、２及び中紙３の綴じ穴６１内にリング本体Ｂ４１が入った状態で、この屈曲部分Ｂ４４付近において複数枚重なった用紙６の綴じ穴６１が整然と揃い、重なった用紙６の横方向へのずれを抑制することができる。
【００４３】
また、このリング本体Ｂ４１は、図８に示すように、前記接合領域Ｂ４０以外の部位に、円周方向に間隔をあけて平行に形成された複数の折り線Ｂ４６を備えていてもよい。すなわち、図９に示すように、横帯状部Ｂ５１には折り線Ｂ５６が設けてあるので、図８に示すように、閉環状にした際に環状部Ｂ４３に折り線Ｂ４６を有することとなる。本実施形態において環状部Ｂ４３が合成樹脂製である場合、使用者の手等によってリングＢ４が変形する方向に大きな力が加わると、その変形部分が白化し、その白化した部分が目立ってしまうという不具合が生じる場合がある。ところが、このような折り線Ｂ４６を有していれば、白化しても目立ちにくくすることができる。この折り線Ｂ４６に対応する横帯状部Ｂ５１に設けられた折り線Ｂ５６は、前述したシート素材に打ち抜き加工を施してリング形成部材Ｂ５が作られる段階で形成されるものである。
【００４４】
さらに、接合領域Ｂ４０についても、帯状に沿って形成されるものに限られず、図８に示すように、帯状に直交して形成されるもの、すなわち、前記連結部Ｂ４２に沿って形成されるものであってもよい。また、図示しない円形状または楕円形状等に接合領域が形成されるものであってもよい。
【００４５】
次に、本発明の第四実施形態にかかるノートを図１０に示す。なお、以下の実施形態において上記実施形態に対応する構成要素には同様の符号を付して示すものとし、具体的な説明を省略する。
【００４６】
すなわち、このリングＣ４は、図１０に示すような合成樹脂のインジェクション成形によって作られるものである。この図１０は、前記先端部Ｃ４７を前記連結部Ｃ４２に接合させる前の状態を示している。インジェクション成形によれば、リングＣ４のリング本体Ｃ４１を最初から立体的に湾曲させておくことも可能となる。
【００４７】
屈曲部は、リング形成部材を打ち抜いた時点で形成されるものに限らず、リング形成部材の横帯状部を用紙の綴じ穴に差し込む途上において、または、リング形成部材の横帯状部の先端を縦帯状部に溶着する途上において、あるいは、溶着後において、表紙または治具を用いて形成するものであってもよい。
【００４８】
リング本体の形状は、横断面形状が扁平なほぼ矩形状のものに限られず、円形状、楕円形状、その他の形状のものであってもよい。例えば、横断面形状が円形状であれば、使用者がリングに触れた場合のひっかかりを抑制することができる。すなわち、リングを手にフィットさせることができ、使用者に心地良い使用感を与えることができる。さらに、リング本体の基端部から連結部までの厚み寸法も一定のものに限られず、その厚み寸法が変わるものであってもよい。
【００４９】
リング本体４１の先端の形状は円弧状に限らず、三角形状や四角形状等であってもよいが、本実施形態のように円弧状であれば、用紙をリング本体の先端に引っ掛かりにくくすることができる。
【００５０】
前記リング本体の素材は、環状部４３に使用者の手が触れた際に一時的な弾性変形が生じるが、その外力が解除されると元の円環状をなす湾曲形状に自己復帰し得る素材であればどのようなものでもよく、前述した合成樹脂の他、例えば、繊維製、グラスファイバー製、アルミニウムなどの金属、形状記憶合金、繊維を織らずに絡み合わせたシート状の不織布、またはその他適宜の天然素材等であってもよい。以上のような素材でリング本体を作る場合には、使用者がリングに触れた場合の違和感を抑制することができる。
【００５１】
ノートには、手帳サイズ、通常のノートサイズの他、種々の大きさが考えられる。また、綴じ穴の形状は、矩形の他、円、楕円、その他の形状であってもよい。
【００５２】
その他、本発明の趣旨を損ねない範囲で種々に変更してよい。
【符号の説明】
【００５３】
Ｎ…ノート
１、２…表紙
３…中紙
４、Ａ４、Ｂ４、Ｃ４…リング
４０、Ａ４０、Ｂ４０…接合領域
４１、Ａ４１、Ｂ４１、Ｃ４１…リング本体
４２、Ａ４２、Ｂ４２、Ｃ４２…連結部
４４、４５、Ａ４４、Ａ４５、Ｂ４４…屈曲部分
Ｂ４６、Ｂ５６…折り線
６…用紙
６１…綴じ穴
【図１】
2011218701.tif 000003
【図２】
2011218701.tif 000004
【図３】
2011218701.tif 000005
【図４】
2011218701.tif 000006
【図５】
2011218701.tif 000007
【図６】
2011218701.tif 000008
【図７】
2011218701.tif 000009
【図８】
2011218701.tif 000010
【図９】
2011218701.tif 000011
【図１０】
2011218701.tif 000012